(57)【要約】【課題】長期に渡って動作信頼性を高めることのできるシリンダ錠の提供を目的とする。【解決手段】キー挿入溝１に挿入した解錠キー２の側面に向けて進退するピン状のタンブラ３をタンブラ挿入孔４内に保持したプラグ５をシリンダケース６に回転自在に挿入してなるシリンダ錠であって、  前記タンブラ挿入孔４のキー挿入溝１側の開口端には、キー挿入溝１の一般面より凹んだ凹部７が設けられる。【選択図】  図１
2005133486.tif 000002
【特許請求の範囲】
【請求項１】
キー挿入溝に挿入した解錠キーの側面に向けて進退するピン状のタンブラをタンブラ挿入孔内に保持したプラグをシリンダケースに回転自在に挿入してなるシリンダ錠であって、
前記タンブラ挿入孔のキー挿入溝側の開口端には、キー挿入溝の一般面より凹んだ凹部が設けられるシリンダ錠。
【請求項２】
前記凹部は、複数のタンブラ挿入孔の開口を含んでプラグ長手方向に連続状に形成されるとともに、凹部の周囲には、キー挿入溝の一般面を残存させて解錠キーのガイド面とする請求項１記載のシリンダ錠。
【請求項３】
前記凹部には、該凹部と同一深さを有し、キー挿入溝の径方向開口端を終端としてプラグの回転中心線に直交する方向に形成される工具導入部が延設される請求項２記載のシリンダ錠。
【発明の詳細な説明】
【技術分野】
【０００１】
本発明は、シリンダ錠に関するものである。
【背景技術】
【０００２】
ピン状のタンブラを使用したシリンダ錠としては、例えば特許文献１に記載されたものが知られている。この従来例において、シリンダケース内に挿入されるプラグにはキー挿入溝に向けて開設されるタンブラ挿入孔が開設される。各タンブラ挿入孔内には、ピン状のタンブラが、シリンダケース側のドライバピンによりキー挿入溝からの飛び出し方向に付勢されて挿入される。
【０００３】
そして、上記タンブラ挿入孔とタンブラとのがたつきはピッキング等の容易性に結びつくために、タンブラ挿入孔とタンブラとのクリアランスは可及的に小さく設定されている。
【特許文献１】特許第３１０１６７８号公報
【発明の開示】
【発明が解決しようとする課題】
【０００４】
しかし、上述した従来例において、タンブラのがたつきを防止するために、タンブラ挿入孔との間のクリアランスを小さくすると以下に述べる問題が生じやすくなる。すなわち、キー挿入溝内に解錠キーを斜め挿入すると、タンブラ挿入孔のキー挿入溝側の開口端面が解錠キーによりこすられる。図３は解錠キー２の側面に向けてタンブラ３が突出するシリンダ錠において、解錠キー２を板厚方向に斜め挿入した場合を示すもので、解錠キー２による擦過位置を図３（ａ）において点Ａで示す。
【０００５】
解錠キー２による擦過頻度、あるいは擦過力が大きくなると、やがて開口端形状が変形し、タンブラ３の突出に支障を来す可能性がある。
タンブラ３の突出動作が保証されないと、図３（ｂ）に示すように、真正な解錠キー２を挿入した場合であっても、タンブラ３が解錠キー２の解錠コード形成凹部２ａに追随して突出することができなくなり、ドライバピン９との境界がプラグ５とシリンダケース６との境界に移動することができない。この結果、プラグ５のシリンダケース６との回転境界面が開放されることなく、プラグ５への回転操作が不可能になってしまう。
【０００６】
本発明は、以上の欠点を解消すべくなされたものであって、長期に渡って動作信頼性を高めることのできるシリンダ錠の提供を目的とする。
【課題を解決するための手段】
【０００７】
本発明によれば上記目的は、
キー挿入溝１に挿入した解錠キー２の側面に向けて進退するピン状のタンブラ３をタンブラ挿入孔４内に保持したプラグ５をシリンダケース６に回転自在に挿入してなるシリンダ錠であって、
前記タンブラ挿入孔４のキー挿入溝１側の開口端には、キー挿入溝１の一般面より凹んだ凹部７が設けられるシリンダ錠を提供することにより達成される。
【０００８】
本発明において、キー挿入溝１に解錠キー２を斜め挿入した場合、解錠キー２によりキー挿入溝１がこすれるが、タンブラ挿入孔４の出口部分はキー挿入溝１の一般面より一段低い凹部７となっているために、解錠キー２が出口に衝接することはない。この結果、長期に渡る使用の後でも出口の変形が確実に防止され、誤動作が発生しない。
【０００９】
上記凹部７は、タンブラ挿入孔４単位に独立に形成することも可能であるが、複数のタンブラ挿入孔４の開口を含んでプラグ５長手方向に連続状に形成することができる。この場合、凹部７の周囲には、キー挿入溝１の一般面を残存させて解錠キー２のガイド面とすることにより、解錠キー２のがたつきが防止され、動作信頼性が向上する。
【００１０】
凹部７は、アンダーカット加工が可能なエンドミル等の切削工具１０により形成することが可能であるが、この場合、凹部７に工具導入部８を延設するように構成すると、刃径が凹部７形成箇所の溝幅（本明細書においては、便宜上、キー挿入溝１の解錠キー２の板厚方向に対応する寸法を溝幅寸法とする）に一致する切削工具１０により工具導入部８、凹部７の順に切削するだけで加工が終了するために、作業性が向上する。
【発明の効果】
【００１１】
本発明において、解錠キー２の斜め挿入がなされても、タンブラ挿入孔４の出口部分の変形が発生しないために、当該変形に起因するタンブラ３の動作不良が発生しない。この結果、長期に渡って動作信頼性を高めることができる。
【発明を実施するための最良の形態】
【００１２】
図１に示すように、シリンダ錠は、シリンダケース６内にプラグ５を回転自在に挿入して形成される。プラグ５には、径方向と頭部５ａ前端に開放されるスリット状のキー挿入溝１が長手通しに形成される。このキー挿入溝１は、解錠キー２ががたつきなく挿入されるように、解錠キー２の厚み方向寸法に比してやや大きな溝幅寸法（Ｗ）に形成される。
【００１３】
また、プラグ５には、上記キー挿入溝１に一方の開口端が臨み、他端が外周方に開放する円形断面のタンブラ挿入孔４の複数がプラグ５の長手方向に所定ピッチで開設され、各タンブラ挿入孔４にピン形状のタンブラ３が摺動自在に挿入される。
【００１４】
一方、シリンダケース６には、プラグ５が図１（ｂ）に示す中立回転位置にある際に各タンブラ３に正対するドライバピン９がタンブラ３の移動方向と同一方向に移動自在に配置される。各ドライバピン９は、圧縮スプリング９ａによりプラグ５の回転中心方向に付勢されており、該ドライバピン９により、対応するタンブラ３の一端がキー挿入溝１内に突出する。
【００１５】
したがってこの実施の形態において、図１（ｂ）に示すように、キー挿入溝１に解錠キー２を挿入した際に、解錠キー２の側壁に形成される解錠コード形成凹部２ａにタンブラ３が対応していると、タンブラ３とドライバピン９との境界はプラグ５のシリンダケース６に対する回転境界面に位置することとなり、プラグ５に対する回転操作が可能になる。これに対し、タンブラ３が解錠キー２側の解錠コード形成凹部２ａに対応しない場合には、タンブラ３とドライバピン９との境界は、プラグ５側、あるいはシリンダケース６側に移動するために、上記回転境界面は閉じられた状態となり、プラグ５への回転操作は禁止される。
【００１６】
上記キー挿入溝１への解錠キー２の板厚方向斜め挿入による不具合を防止するために、キー挿入溝１には凹部７が形成される。この実施の形態において、凹部７は、図２（ｂ）に示すように、シャンク径（Ｄｓ）がキー挿入溝１の溝幅寸法（Ｗ）より小寸で、かつ、刃径（Ｄｅ）がシャンク径（Ｄｓ）より大径のアンダーカット加工が可能なエンドミル等の切削工具１０を使用して加工される。切削工具１０による加工は、まず、キー挿入溝１の径方向開口部からプラグ５の回転中心線に直交する方向に切削を開始し、次いで、切削工具１０をプラグ５の長手方向に移動させて行われる。
【００１７】
以上のような加工を施すことにより、キー挿入溝１には、タンブラ挿入孔４のすべてを含むように、プラグ５の長手方向に沿って所定長に渡ってキー挿入溝１を拡幅した状態で凹部７が形成され、該凹部７は、切削工具１０の加工開始時の工具導入部８を経由してプラグ５外方に連通する。
【００１８】
凹部７は、タンブラ挿入孔４のキー挿入溝１への出口を完全に包含し、かつ、可及的にキー挿入溝１の一般面を残すように形成される。この未加工一般面は、図２（ａ）において鎖線で示すように、解錠キー２が挿入された際に、該解錠キー２の板厚方向のがたつきを規制するガイドとして機能する。
【００１９】
なお、上述した実施の形態においては、加工の作業性を考慮して、刃径（Ｄｅ）が凹部７の溝幅寸法（Ｗ７）に一致した工具を使用するために、工具導入部８が形成されているが、刃径（Ｄｅ）がキー挿入溝１の溝幅（Ｗ）より小寸な工具を使用することによって、工具導入部８を形成することなく、凹部７を加工することも可能である。
【図面の簡単な説明】
【００２０】
【図１】本発明を示す図で、（ａ）は断面図、（ｂ）は（ａ）のキーを挿入した状態の２Ｂ-２Ｂ線断面図である。
【図２】プラグの断面図で、（ａ）は図１（ａ）の１Ａ-１Ａ線断面図、（ｂ）は図１（ａ）の２Ｂ-２Ｂ線断面図である。
【図３】従来例の問題を示す図で、（ａ）は解錠キーを斜め挿入した状態を示す断面図、（ｂ）は（ａ）の３Ｂ-３Ｂ線断面図である。
【符号の説明】
【００２１】
１        キー挿入溝
２        解錠キー
３        タンブラ
４        タンブラ挿入孔
５        プラグ
６        シリンダケース
７        凹部
８        工具導入部
【図１】
2005133486.tif 000003
【図２】
2005133486.tif 000004
【図３】
2005133486.tif 000005